(57)【要約】【課題】  外部接続基板を介さずに表示パネルに直接ＩＣドライバを配設し、実現して、低電圧、低消費電力、高精度を達成できる安価な表示パネルを提供すること。【解決手段】    複数のコモン電極２と複数のセグメント電極３の交差部を画素とする表示部４と、コモンドライバ１４が配置されている端子接続部とを有し、前記表示部４は前記コモン電極配列方向で第１表示領域６と第２表示領域７に分割されており、前記各表示領域６、７が個別のセグメントドライバ１５、１６により駆動される表示パネルであって、前記コモンドライバ１４の出力端子と前記第１表示領域６のコモン電極２とは、前記端子接続部において引き廻し配線２ａにより接続され、前記コモンドライバの出力端子と前記第２表示領域７のコモン電極とは、前記端子接続部においてトランスファ部１０を介して前記引き廻し配線１１により接続される。【選択図】      図１
2006243359.tif 000002
【特許請求の範囲】
【請求項１】
複数のコモン電極と複数のセグメント電極の交差部を画素とする表示部と、コモンドライバが配置されている端子接続部とを有し、
前記表示部は前記コモン電極配列方向で第１表示領域と第２表示領域に分割されており、前記各表示領域は個別のセグメントドライバにより駆動され、
前記コモンドライバの出力端子と前記第１表示領域のコモン電極とは、前記端子接続部において接続され、
前記コモンドライバの出力端子と前記第２表示領域のコモン電極とは、前記端子接続部においてトランスファ部を介して接続されていることを特徴とする表示パネル。
【請求項２】
複数のコモン電極と複数のセグメント電極の交差部を画素とする表示部と、コモンドライバが配置されている端子接続部と、前記表示部を介して前記端子接続部と対向する外周端縁部とを有し、前記表示部は前記コモン電極配列方向で第１表示領域と第２表示領域に分割されており、前記各表示領域は個別のセグメントドライバにより駆動され、
前記コモンドライバの出力端子と前記第１表示領域のコモン電極とは、前記端子接続部で接続され、
前記第１表示領域のコモン電極と前記第２表示領域のコモン電極とは前記外周端縁部において接続されていることを特徴とする表示パネル。
【請求項３】
請求項２に記載の表示パネルにおいて、
前記第１表示領域のコモン電極と前記第２表示領域のコモン電極は、前記外周端縁部においてトランスファ部を介して接続されていることを特徴とする表示パネル。
【発明の詳細な説明】
【技術分野】
【０００１】
本発明は、パッシブ駆動方式で画面分割駆動を行なう表示装置に搭載される表示パネルに関する。
【背景技術】
【０００２】
電子機器に広く用いられるパッシブ駆動方式の表示パネルは、例えば、複数のコモン電極（走査電極）と、複数のセグメント電極（データ電極）が対向する各透明基板上にストライプ状にそれぞれ形成されており、その交差部が画素となって表示部を構成している。つまり、ｍ本のコモン電極とｎ本のセグメント電極により、画素数ｍ×ｎの表示部が形成されている。
【０００３】
また、各電極の信号入力側端部はそれぞれ前記透明基板の端縁に形成された端子接続部に引き出され、前記端子接続部において異方性導電膜などを介してＦＰＣやプリント基板からなる外部接続基板に接続されている。前記外部接続基板には、前記各電極を駆動するためのＩＣドライバ（以下、必要に応じて、前記コモン電極に接続されるＩＣドライバをコモンドライバといい、前記セグメント電極に接続されるＩＣドライバをセグメントドライバという。）が搭載されるとともに、前記各ＩＣドライバを前記透明基板の端子接続部と接続させるための信号線が形成されている。そして、前記各表示画素のオンオフは、前記コモンドライバとセグメントドライバからそれぞれコモン電極とセグメント電極に印加される信号（駆動波形）によって制御されて、デューティ駆動によりフルドット表示を行なうようになされている。詳しくは、コモンドライバよりコモン電極に順次パルス信号を送り、そのタイミングに合わせて、セグメントドライバより、各セグメント電極にON・OFF情報を入れることにより、前記コモン電極とセグメント電極の交差部の画素がON・OFF情報に応じて点滅することとなる。
【０００４】
例えば、前記コモン電極が１００本、セグメント電極が２００本とされた液晶表示パネルにおいては、前述のように、パッシブ駆動方式はデューティ駆動であるため、前記コモンドライバは１００本のコモン電極を、時分割時のデューティ比１／１００として駆動させることになる。
【０００５】
ここで、前記表示パネルにおいて、パッシブ駆動のデューティ比はその分母の値が大きいほど画質は悪くなり、駆動電圧も高くなる。逆を言えば、良い画質を得、駆動電圧を低くするためにはデューティ比の分母の値を下げることが好ましいと考えられる。
【０００６】
そこで、従来より、画面分割駆動方式が採用されている。この画面分割駆動は、例えば、２画面分割駆動の場合、コモン電極を配列方向の中央部から上下に分割して２ブロックを形成し、同時選択ライン数を各ブロック毎に１ずつとして、前記各ブロックにおいて選択パルスを１フレーム期間内に均等に分散印加させる駆動方法である。つまり、２ブロックを各々個別に駆動させるべく、１つのコモンドライバで２ブロックのコモン電極の１本づつを選択させるようになされている。
【０００７】
より具体的には、前述の表示パネルは、前述の従来例の表示パネルにおいては１００本のコモン電極を有しているので、これらは５０本ずつ上下に２ブロックに分割される。前記コモンドライバは、前記各ブロックにおいて、それぞれ５０本のコモン電極をデューティ比を１／５０として走査することになる。
【０００８】
このように画面分割駆動される表示パネルにおいては、前記コモン電極を分割させない場合に比較して、デューティ比を半分にすることが可能となり、低電圧、低消費電力、高輝度を達成することが可能となる。
【０００９】
【特許文献１】特開２０００−２９８４４６号公報
【発明の開示】
【発明が解決しようとする課題】
【００１０】
しかしながら、前述したように、従来の画面分割駆動においては、２分割した表示部の画素を構成する前記コモン電極は、それぞれ他のプリント基板やＦＰＣ等の外部接続基板を介してコモンドライバに接続され、前記外部接続基板内において、２分割駆動が可能な配線構成とされていたため、前記外部接続基板が必須となり、表示パネル自体としてはコンパクトな設計ができなかった。
【００１１】
また、分割させた表示部の各ブロックに対してそれぞれ１組のコモンドライバとセグメントドライバとを直接前記透明基板に配設する構成も採用されているが、この構成では、ＩＣドライバの配設数が増えるため、コスト的な問題が別途生じる。
【００１２】
そこで、本発明は、外部接続基板を介さずに表示パネルに直接ＩＣドライバを配設し、パッシブな画面分割駆動を実現して、低電圧、低消費電力、高輝度を達成することが可能であって、しかも安価で簡便な表示パネルを提供することにある。
【課題を解決するための手段】
【００１３】
前述した目的を達成するため、本発明の表示パネルの第１の態様は、複数のコモン電極と複数のセグメント電極の交差部を画素とする表示部と、コモンドライバが配置されている端子接続部とを有し、前記表示部は前記コモン電極配列方向で第１表示領域と第２表示領域に分割されており、前記各表示領域は個別のセグメントドライバにより駆動され、前記コモンドライバの出力端子と前記第１表示領域のコモン電極とは、前記端子接続部において接続され、前記コモンドライバの出力端子と前記第２表示領域のコモン電極とは、前記端子接続部においてトランスファ部を介して接続されていることを特徴とする。
【００１４】
また、本発明における表示パネルの第２の態様は、複数のコモン電極と複数のセグメント電極の交差部を画素とする表示部と、コモンドライバが配置されている端子接続部と、前記表示部を介して前記端子接続部と対向する外周端縁部とを有し、前記表示部は前記コモン電極配列方向で第１表示領域と第２表示領域に分割されており、前記各表示領域は個別のセグメントドライバにより駆動され、前記コモンドライバの出力端子と前記第１表示領域のコモン電極とは、前記端子接続部で接続され、前記第１表示領域のコモン電極と前記第２表示領域のコモン電極とは前記外周端縁部において接続されていることを特徴とする。
【００１５】
さらに、本発明における表示パネルの第３の態様は、前記請求項２に記載の表示パネルにおいて、前記第１表示領域のコモン電極と前記第２表示領域のコモン電極は、前記外周端縁部においてトランスファ部を介して接続されていることを特徴とする。
【発明の効果】
【００１６】
本発明の表示パネルにおける第１の態様および第２の態様によれば、前記第１表示領域のコモン電極と第２表示領域のコモン電極に対する画像情報の入力を、端子接続部に実装される１つのコモンドライバによって駆動制御することが可能となる。すなわち、表示パネル内の電極配線構造を工夫することで、表示部を２分割する駆動制御を少ないＩＣドライバ数で、しかも、外部接続部材を用いることなく実行することが可能となるのでコスト的にも安価となり、しかも、低電圧、低消費電力な駆動を行い、高輝度な表示を得ることができるといった効果を奏する。
【００１７】
さらに、第３の態様によれば、第２の態様の効果に加えて、電極配線の設計の自由度を増すことが可能である。
【発明を実施するための最良の形態】
【００１８】
以下、本発明の表示パネルにおいて、３つの実施形態を用いて説明する。
【００１９】
以下の実施形態において用いられる表示パネルは、複数のコモン電極と、複数のセグメント電極がマトリクス状に形成され、各電極の交差部が画素となって表示部を構成するパッシブ駆動方式の液晶表示パネルである。
【００２０】
前記液晶表示パネルの構成を簡単に説明すると、互いに対向する面に透明電極としてのコモン電極とセグメント電極が形成された一対の透明基板を、この透明基板の周辺部で、表示部の領域を囲うようにして配設されたシール材により一体に貼り合わせ、これら各透明基板間に液晶を注入密封した後、各透明基板の外側部分に偏光板を貼着することにより構成されている。そして、この液晶表示パネルを構成するいずれか一方の透明基板は、他方の透明基板に対して大きく形成されており、この他方の透明基板の突出部分は、前記各コモンドライバおよび各コモン電極に接続される引き廻し配線が配線される端子接続部とされている。
【００２１】
図１は、本発明の請求項１に記載の発明に対応する実施態様（第１実施形態）における表示パネル１を示す概略平面図であり、前記表示部４は前記コモン電極２の配列中央部において上下２ブロックに分割され、それぞれ、第１表示領域６と第２表示領域７とされている。
【００２２】
本実施形態においては、前記表示部４の領域外となる前記一方の透明基板の前記端子接続部にはコモンドライバ１４が配設され、前記第１表示領域６の各コモン電極２とコモンドライバ１４の出力端子とを接続する入力側引き廻し配線２ａが形成されている。また、前記第１表示領域６および第２表示領域７の各セグメント電極３は、個別のセグメントドライバ１５、１６の出力端子と入力側引き廻し配線３ａを介して接続されている。
【００２３】
そして、本実施形態においては、前記第１表示領域６のコモン電極２に接続されている入力側引き廻し配線２ａの中間部と、各表示領域６における配列順を同じくする前記第２表示領域７のコモン電極２の入力側引き廻し配線２ａは、前記一方の透明基板に形成されたトランスファ部１０を介して、前記他方の透明基板に形成される引き廻し配線１１によって立体的、且つ、電気的に接続されている。
【００２４】
また、図２は、本発明の請求項２に記載の発明に対応する実施態様（第２実施形態）における表示パネル１を示す概略平面図である。以下では、特徴部分である電極配線構造のみを説明し、その他の部分については、前記第１実施形態または公知技術と同様に構成されているものとして説明を省略する。
【００２５】
第２実施形態においては、前記表示部４の領域外となる前記一方の透明基板の前記端子接続部にはコモンドライバ１４が配置され、前記第１表示領域６の各コモン電極２と前記コモンドライバ１４の出力端子とを接続する入力側引き廻し配線２ａが形成されている。また、前記表示部４を介して前記端子接続部と対向する外周端縁部において、前記第１表示領域６の各コモン電極２と第２表示領域７の各コモン電極２と接続される連結配線９が形成されている。さらに、前記第１表示領域６および第２表示領域７の各セグメント電極３は個別のセグメントドライバ１５、１６の出力端子と入力側引き廻し配線３ａを介して接続されている。
【００２６】
そして、本実施形態の表示パネル１においては、前記第１表示領域６と第２表示領域７との境界線を対称軸として上下線対称となる位置に位置するところの前記第１表示領域６の各コモン電極２と前記第２表示領域７のコモン電極２は、図２に示すように、それぞれ前記一方の透明基板の外周端縁部に形成された連結配線９によって電気的に結線され、前記各コモン電極２が前記第１表示領域６と第２表示領域７とに亘って繋続するように構成されている。
【００２７】
なお、このような電極配線構造を有する表示パネル１においては、前記コモンドライバ１４から各コモン電極２に入力される画像情報は、該表示パネル１と接続される図示しない情報処理部において、前記第２表示領域７に表示される画像の画像情報を前記第２表示領域７を構成する各コモン電極２の配列順において、逆順に入れ替える処理済みの画像情報とすることを要する。
【００２８】
さらに、図３は、本発明の請求項３に記載の発明に対応する実施態様（第３実施形態）における表示パネル１の電極配線構造を示す概略平面図である。以下では、特徴部分である電極配線構造のみを説明し、その他の部分については、前記第１実施形態、第２実施形態および公知技術と同様に構成されているものとして説明を省略する。
【００２９】
本実施形態においては、前記表示部４の領域外となる前記一方の透明基板の前記端子接続部にはコモンドライバ１４が配設され、前記第１表示領域６の各コモン電極２と前記コモンドライバ１４の出力端子とを接続する入力側引き廻し配線２ａが形成されている。また、前記表示部４を介して前記端子接続部と対向する外周端縁部には、前記第１表示領域６の各コモン電極２と第２表示領域７の各コモン電極２を接続させるためのトランスファ部１０が形成されている。さらに、前記第１表示領域６および第２表示領域７の各セグメント電極３は、個別のセグメントドライバ１５、１６の出力端子と入力側引き廻し配線３ａを介して接続されている。
【００３０】
そして、本実施形態においては、前記第１表示領域６のコモン電極２と各表示領域６における配列順を同じくする前記第２表示領域７のコモン電極２は、前記外周端縁部に配設されたトランスファ部１０を介して前記他方の透明基板に形成される引き廻し配線１１によって立体的、且つ、電気的に接続されている。
【００３１】
なお、このような電極配線構造を有する表示パネル１においては、前記コモンドライバ１４から各コモン電極２に入力される画像情報は、該表示パネル１に接続される図示しない情報処理部において、前記第２表示領域７に表示される画像の画像情報を前記第２表示領域７を構成する各コモン電極２の配列順の画像情報とする。
【００３２】
このようなトランスファ部１２の構造を有する液晶表示パネルにおいては、該表示パネルに接続される図示しない情報処理部において、前記第２表示領域７に表示される画像の画像情報を、前記第２表示領域７を構成する各セグメント電極３の配列順に処理を行い、前記コモンドライバ１４からは、その処理済みの画像情報に基づく信号が出力されるように構成されている。
【００３３】
これら各実施形態の表示パネルにおいては、同時選択ライン数を各表示領域毎に１つずつとし、前記第１表示領域６および第２表示領域７を各々個別に駆動させるべく、１個のコモンドライバ１４で、前記第１表示領域６および第２表示領域７のコモン電極２の１本づつを選択し、パルスを１フレーム期間内に均等に分散印加させる。このように画面分割駆動される液晶表示パネルにおいては、前記コモン電極２を分割させない場合に比較して、デューティ比を半分にすることが可能となり、低電圧、低消費電力、高輝度を達成することが可能となる。
【００３４】
そして、前記第１実施形態の表示パネルにおいては、第１表示領域６と第２表示領域７の各コモン電極２を１対１で電気的に接続するにあたり、その電極配線を全て表示パネル内に納めることができるので、構造も簡便となり安価に実現できる。
【００３５】
また、前記第１実施形態の表示パネルおよび第３実施形態の表示パネルにおいては、いずれも第１表示領域６と第２表示領域７の各コモン電極２を１対１で電気的に接続するにあたり、その配線をトランスファ部１０を介する点で共通する。
【００３６】
なお、本発明は、前述した実施の形態に限定されるものではなく、必要に応じて種々の変更が可能である。
【００３７】
例えば、前述した第２実施形態における連結電極と第３実施形態におけるトランスファ部とを組み合わせた電極配線構造を用いてもよい。また、前記実施形態においては、前記表示パネルとして液晶表示パネルを例にして説明したが、表示パネル１は液晶表示パネルに限ることなく、例えば、有機ＥＬ素子（有機エレクトロルミネッセンス素子）を用いた表示パネルであってもよい。
【図面の簡単な説明】
【００３８】
【図１】本発明の表示パネルの第１実施形態の概略平面図
【図２】本発明の表示パネルの第２実施形態の概略平面図
【図３】本発明の表示パネルの第３実施形態の概略平面図
【符号の説明】
【００３９】
１  表示パネル
２  コモン電極
３  セグメント電極
４  表示部
６  第１表示領域
７  第２表示領域
９  連結配線  
１０  トランスファ部
１１  引き廻し配線
１４  コモンドライバ
１５、１６  セグメントドライバ
ａ  入力側引き廻し配線
【図１】
2006243359.tif 000003
【図２】
2006243359.tif 000004
【図３】
2006243359.tif 000005